(57)【要約】【課題】未使用時の無駄な電力を無くした電源制御装置を提供する。【解決手段】スイッチ１が押されることにより、電源７に交流が投入され、ＬＳＩ３が稼働し、スイッチ１と連動しているスイッチ２が押されていることを感知して、電源供給要請信号９が出て主電源系を稼働させる。同時にリレーのコイル５を動作させてリレーの接点６をメイクさせ、装置を稼働させる。装置停止時には電源供給要請信号９が切れ、リレーのコイル５の電流が断たれ、接点６がブレイクして装置が停止する。この停止時には交流が電源からリレーにより分離されているため、無駄な電力は消費されない。省エネルギー状態時には、電源供給要請信号９は切れているが、省エネルギー状態を示している信号１４によって、常時リレーのコイル５に電流を流すことにより、接点６は閉じた状態のままなので、電源７は副電源系のみとなる。【選択図】  図１
2004355423.tif 000002
【特許請求の範囲】
【請求項１】
装置動作時に必要となる電力を供給する主電源系と、装置を起動させる信号を監視するために必要となる電力を供給する副電源系を持ち、また、省エネルギー状態では主電源系は供給停止され副電源系が供給されている装置に置いて、交流電力を投入する手段と、装置を起動する手段と、投入された交流電力を保持する手段と、装置使用終了時に交流電力を切断する手段と、装置が省エネルギー状態時に主電源系を供給停止し、副電源系は供給しつづける手段を有する事を特徴とした装置。
【請求項２】
請求項１の装置に置いて、装置使用終了時に交流電力を切断する機能を無効とする手段を有した装置。
【発明の詳細な説明】
【０００１】
【発明の属する技術分野】
本発明は、情報処理装置等の各種電子装置の電源制御に関し、特に不要な電力の消費を減らすよう構成した装置に関するものである。
【０００２】
【従来の技術】
図２に、パーソナルコンピュータにおける一般的な構成例を示す。図２において、電源７が交流１００Ｖに接続されると、副電源系１０が給電され、起動信号の監視を行うＬＳＩ３に電源を供給する。この状態で、装置起動ボタン２が押されると、監視ＬＳＩ３から電源供給要請信号９が出て、主電源系１１が供給開始されて、装置が起動する。この構成の場合、装置未使用時にも副電源系を供給するために電力を必要とし、不要な電力を消費してしまう。
【０００３】
他に、特許第３２５８８１２号の様に副電源系用に補助電源を設けることによって、不要な電力を削減する手法が知られているが、これも不要電力をなくすことは出来ない。
【０００４】
また、特許第２７９８０６０号では、不要時に交流入力をリレーで切断する方式であり、不要電力を無くすことが出来るが、このままでは、パーソナルコンピュータの省エネルギー状態との整合性に欠ける問題がある。パーソナルコンピュータでは、主電源系を供給停止にし、副電源系のみを給電させ、この電力でメモリーの電力を維持しする省エネルギー状態がある。この状態と装置使用終了状態を区別し、電源を供給する必要があるが、この特許では、この省エネルギー状態を実現できない問題がある。
【０００５】
また、パーソナルコンピュータでは、スイッチによる起動以外に、ＬＡＮ接続により、マジックパケットと呼ぶ特殊な信号を受信すると装置が起動する機能や、モデム接続時には着信信号によって装置が起動する機能などを実現することが必須となっており、これらとの整合も必要である。
【０００６】
【特許文献１】
特許第３２５８８１２号
【特許文献２】
特許第２７９８０６０号
【０００７】
【発明が解決しようとする課題】
従来の技術では、装置を使用していない時にも無駄な電力を消費しているのが一般的であり、未使用時に交流を切る公知例でも、パーソナルコンピュータの省エネルギー状態と整合できない問題があった。また、ＬＡＮ接続時のマジックパケット起動などにも対応する必要がある。
【０００８】
【課題を解決するための手段】
図１において、電源７の前段に押しボタンスイッチ１とリレーの接点６を置き、装置の起動スイッチ２は、スイッチ１と連動するように構成する。起動時には、まず、スイッチ１が押されることにより、電源７に交流が投入され、ＬＳＩ３が稼働し、スイッチ１と連動しているスイッチ２が押されていることを感知して、電源供給要請信号９が出て主電源系を稼働させる。それと同時にリレーのコイル５を動作させてリレーの接点６をメイクさせる。これにより、スイッチ１を離しても接点６が閉じているため交流は断たれることなく供給され続ける。装置停止時には電源供給要請信号９が切れるため、リレーのコイル５の電流が断たれ、接点６がブレイクして、装置が停止する。この停止時には交流ラインが電源からリレーにより分離されているため、無駄な電力は消費されない。
【０００９】
省エネルギー状態時には、電源供給要請信号９は切れているが、省エネルギー状態を示している信号１４によって、常時リレーのコイル５に電流を流すことにより、接点６は閉じた状態のままなので、電源７は副電源系のみとなり、省エネルギー状態を実現できる。
【００１０】
マジックパケット起動などの場合には、副電源が必要なので、装置停止時にも接点６を閉じておくようにするため、制御信号１３を用意する。
【００１１】
【発明の実施の形態】
図１において、本発明の実施の形態を詳細に説明する。装置停止時、押しボタンスイッチ１と２は開いており、リレーの接点６も開いているため、電源７に交流電源は供給されていないため停止しており、主電源系１１と副電源系１０は給電を止めている。
【００１２】
以下、起動時の動きについて説明する。
【００１３】
使用者により、押しボタンスイッチ１が押されると、電源７に交流電源が接続され、まず、副電源系１０の給電が開始される。この瞬間には、電源供給要請信号９は出ていないため、主電源系１１は停止状態を維持している。
【００１４】
副電源系１０の給電が開始されたことにより、ＬＳＩ３が動作を始める。このＬＳＩは、押しボタンスイッチ２の開閉を監視する機能を持っている。
【００１５】
押しボタンスイッチ２は、押しボタンスイッチ１と連動している。今、押しボタンスイッチ１は使用者により押されているので、押しボタンスイッチ２も押された状態にある。ＬＳＩ３は、この状態を感知し、電源供給要請信号９を出す。電源７は、この信号により、主電源系１１への給電を開始する。装置８は、主電源系１１の給電開始を受けて、起動開始し、オペレーションシステムが立ち上がる。
【００１６】
一方、電源供給要請信号９が出たことにより、この信号はＯＲゲート４を経由して、リレーのコイル５を駆動する。これにより、リレーの接点６は閉じ、交流電源はリレー接点６の経路を通じて電源７に供給されるようになる。この時点で、押しボタンスイッチ１を使用者が離しても、交流電源が断たれることは無くなる。
【００１７】
次に動作状態から装置停止させる場合の動きについて説明する。
【００１８】
使用者は、オペレーションシステムを操作して、使用終了処理を行う。オペレーションシステムは、ファイルをクローズするなどの一連の終了処理を行った後、ＬＳＩ３から出ている電源供給要請信号９を切り、主電源系１１を停止させようとする。電源供給要請信号９が切れると、ＯＲゲート４を経由して駆動されているリレーのコイル５にも電流が流れなくなるため、リレーの接点６が開き、交流電源と電源７の接続が完全に切り離され、停止時に電力が消費されるような無駄を無くすことが出来る。
【００１９】
なお、今のパーソナルコンピュータには、押しボタンスイッチ２を押して装置を停止させる機能があるが、これと連動している押しボタンスイッチ１が一瞬押されることとなるが、リレーの接点６が閉じている時であるので、この押しボタンスイッチ１の動きは無視できる。他は、本特許を実現しない場合と同一であるので、スイッチ２を押しての終了処理は正常に行われる。
【００２０】
次に省エネルギー状態への移行動作について説明する。
【００２１】
今のパーソナルコンピュータには省エネルギー方式がいくつか存在し、ＡＣＰＩと呼ぶ方式を採用している場合、Ｓ０と呼ぶ状態が動作状態、Ｓ５が終了状態で、Ｓ１からＳ４が省エネルギー状態である。このうち、ある省エネルギー状態では主電源系は切るが、副電源系は通電状態を要求する物がある。例えば、Ｓ３状態では、主記憶の状態を保持しながら省エネルギー状態に移行するモードであり、この主記憶の保持に副電源系を使う場合があるなどである。
【００２２】
実施例では、終了状態であるＳ５状態以外は、交流電源の供給を停止しないように構成した場合である。動作状態から、オペレーションシステムが省エネルギー状態に移行しようとした場合、各種前処理を行った後、ＬＳＩ３から出力されている現在の状態を示すステータス信号を、省エネルギー状態に変更する。この実施例では、Ｓ５（終了）状態であることを示す信号を使用しているので、この信号１４は「０」（Ｓ５でない）を示しており、反転ゲート１２を通って、ＯＲゲート４に入り、この出力を「１」に固定する。
【００２３】
ＬＳＩ３は、ステータス信号を変更した後、電源供給要請信号９を切る（「０」にする）。これにより電源７は、主電源系の供給を停止し、副電源系のみの供給に切り替わる。一方、電源供給要請信号９はＯＲゲート４に入力されるが、信号１４側からの「１」信号によって、出力は「１」のままとなり、リレーのコイル５には電流が流れ続け、リレーの接点６も閉じたままなので、交流電源は接続されたままとなり、副電源系が切れることはない。これにより、省エネルギー状態を構成することが出来る。
【００２４】
次に、ＬＡＮなどからの起動について説明する。
【００２５】
パーソナルコンピュータは、ＬＡＮ上でマジックパケットと呼ぶ特殊信号を受けると起動する機能を持っている。この機能を実現するためにはＬＡＮチップに電源を供給しなければならず通常副電源系を用いる。本実施例では、交流電源を切る機能を使用しない状態を使用者が設定することが出来るように構成することにより、ＬＡＮからの起動などを可能とする。この場合、無駄な電力を使用することになるが、このＬＡＮ起動機能を使う使用者は極一部なので、全体として本発明の効果を減じる物ではない。
【００２６】
構成は、ＧＰＩＯと呼ぶ、自由に入出力に使えるピンを１ピン用い、交流切断機能可否信号１３とする。使用者は信号１３を、使用する「０」か、使用しない「１」かに設定する。この設定値は電源を切っても失われないようにＥＥＰＲＯＭ等に記憶しておく。この設定が「使用する」場合は、今までと同様なので説明を省略する。設定が「使用しない」場合は、交流切断機能可否信号１３が「１」となるので、電源供給要請信号９の状態によらず、ＯＲゲート４の出力は「１」に固定され、リレーのコイル５に電流が流れ続け、リレーの接点６が閉じ続けるため、交流電源と電源７を切り離す機能を働かせないことが出来る。
【００２７】
なお、本実施例では、信号９，１３，１４や押しボタンスイッチ２が一つのＬＳＩ３に接続されているように書いたが、実際には複数のＬＳＩにまたがる場合もある。
【００２８】
【発明の効果】
本発明によって、未使用時には電源を交流から切り離すことによって、無駄な電力を消費しないようにできる。また、省エネルギー状態時や、交流を切りたくないときには、この機能を使わないことも出来る。
【図面の簡単な説明】
【図１】本発明の実施例を示す図。
【図２】従来の技術を説明する図。
【符号の説明】
１…押しボタンスイッチ１、２…押しボタンスイッチ２、３…ＬＳＩ、４…ＯＲゲート、５…リレーのコイル、６…リレーの接点、７…電源、８…装置上の基板、９…電源供給要請信号、１０…副電源系、１１…主電源系、１２…反転ゲート、１３…交流切断機能可否信号、１４…ステータス信号。
【図１】
2004355423.tif 000003
【図２】
2004355423.tif 000004